(57)【要約】      （修正有）【課題】火災監視のための電池寿命を損なうことなく、パイロットランプのような拡張機能を必要に応じて任意に追加して動作可能とする。【解決手段】住警器１０は、電源を供給する主電池３４と、センサ部６２の検出出力からイベント検出部７２で火災を検出した時に、イベント処理部７４は報知部６４から火災警報を出力させる。筐体に対し着脱自在な補助電池３０と、補助電池３０により駆動される拡張機能部７６とを設け、拡張機能処理部８２により補助電池３０の装着を検出して拡張機能部７６のパイロットランプ２４を動作させる。補助電池３０は着脱自在なカバーで閉止された筐体の電池収納部に組込み込む。【選択図】図２
2011014062.tif 000002
【特許請求の範囲】
【請求項１】
監視エリアの物理的現象を検出して検出信号を出力するセンサ部と、
警報音と警報表示により異常警報を出力する報知部と、
警報を停止する操作手段を備えた操作部と、
前記センサ部の検出信号から異常を検出した時に、前記報知部からの警報音と警報表示により異常警報を出力させる警報処理部と、
前記センサ部、報知部、操作部及び警報処理部に電源を供給する主電池と、
を設けた警報器に於いて、
前記センサ部、報知部、操作部及び警報処理部以外機能を備えた拡張機能部と、
前記拡張機能部に電源を供給する補助電池と、
前記補助電池の電源供給を検出して前記拡張機能部を動作させる拡張機能処理部と、
を備えたことを特徴とする警報器。
【請求項２】
請求項１記載の警報器に於いて、前記拡張機能部は、
警報器が動作状態にあることを表示する動作表示灯と、
前記拡張機能処理部により補助電池の電源供給が検出された時に、前記動作表示灯を前記補助電池からの電源供給により点灯させる駆動回路と、
を備えたことを特徴とする警報器。
【請求項３】
請求項１記載の警報器に於いて、前記拡張機能部は、
監視エリアの一部又は全部を照明する照明灯と、
人を検出して人検出信号を出力する人感センサと、
前記拡張機能処理部により前記人感センサからの人検出信号を受信した時に、前記照明灯を前記補助電池からの電源供給により点灯させる駆動回路と、
を備えたことを特徴とする警報器。
【請求項４】
請求項１記載の警報器に於いて、前記補助電池を、逆流防止素子を介して前記主電池の電源供給ラインに接続し、前記拡張機能部以外の部分に、前記主電池と補助電池により並列的に電源を供給することを特徴とする警報器。
【発明の詳細な説明】
【技術分野】
【０００１】
本発明は、火災やガス漏れなどの異常を検出して警報する警報器に関する。
【背景技術】
【０００２】
従来、住宅における火災を検出して警報する住宅用警報器（以下「住警器」という）が普及している。
【０００３】
このような住警器は電池を電源として動作し、検煙部またはサーミスタなどにより火災を監視しており、火災を検出した場合には、例えば「ウーウー火災警報器が作動しました  確認してください」といった音声メッセージをスピーカから出力し、表示灯を点滅又は明滅するようにしている。
【０００４】
また自動試験機能により自己のセンサ障害や電池電圧の低下を定期的に監視しており、障害を検出すると障害警報を出すようにしている。また監視状態で点検スイッチを操作すると、そのときの状態に応じた点検メッセージを出力するようにしている。
【０００５】
更に、回路部を動作する消費電流を低減することにより、電池電源であっても、１０年を越える電池寿命を保証している。
【先行技術文献】
【特許文献】
【０００６】
【特許文献１】特開２００７−０９４７１９号公報
【発明の概要】
【発明が解決しようとする課題】
【０００７】
しかしながら、このような従来の住警器にあっては、限られて電池容量を使用して１０年を超える電池寿命による動作を保証するため、可能な限り消費電流を低減するようにしており、特に警報出力や表示といった機能については、必要最小限の構成をとるようにしている。
【０００８】
例えば電池電源で動作する一般の民生機器であれば、動作状態であることを示すパイロットランプを設けて点灯又は点滅しているが、住警器にあっては、常時動作するパイロットランプを設けることは、消費電流が増加して電池寿命を縮めることから設けられず、その代わりに、監視状態で点検スイッチを操作すると、正常であれば正常に動作していることを示す音声メッセージを出力し、障害を検出していれば障害内容を示すメッセージを出力するようにして消費電流の低減を図っている。
【０００９】
しかし、ユーザが住警器を設置している場合、点検スイッチを操作しない限り動作状態が分からないという不便さがあり、動作状態を示すためにパイロットランプを設けると、例え点滅駆動としても、長期間に亘り継続的に動作するために電池寿命に大きく影響することから設けることができないという問題がある。
【００１０】
このような問題はパイロットランプのみならず、住警器の持つ基本的な火災監視機能に別の機能を拡張的に設けようとする場合に同様に生ずる問題であり、住警器に火災監視以外に様々な機能を設けようとする場合の大きな障害となっている。
【００１１】
本発明は、火災監視および警報のための電池寿命を損なうことなく、パイロットランプのような拡張機能を必要に応じて任意に追加して動作可能とする住警器を提供することを目的とする。
【課題を解決するための手段】
【００１２】
本発明は、
監視エリアの物理的現象を検出して検出信号を出力するセンサ部と、
警報音と警報表示により異常警報を出力する報知部と、
警報を停止する操作手段を備えた操作部と、
センサ部の検出信号から異常を検出した時に、報知部からの警報音と警報表示により異常警報を出力させる警報処理部と、
センサ部、報知部、操作部及び警報処理部に電源を供給する主電池と、
を設けた警報器に於いて、
センサ部、報知部、操作部及び警報処理部以外機能を備えた拡張機能部と、
拡張機能部に電源を供給する補助電池と、
補助電池の電源供給を検出して拡張機能部を動作させる拡張機能処理部と、
を備えたことを特徴とする。
【００１３】
ここで、拡張機能部は、
警報器が動作状態にあることを表示する動作表示灯と、
拡張機能処理部により補助電池の電源供給が検出された時に、動作表示灯を補助電池からの電源供給により点灯させる駆動回路と、
を備える。
【００１４】
拡張機能部は、
監視エリアの一部又は全部を照明する照明灯と、
人を検出して人検出信号を出力する人感センサと、
拡張機能処理部により人感センサからの人検出信号を受信した時に、照明灯を補助電池からの電源供給により点灯させる駆動回路と、
を備える。
【００１５】
補助電池を、逆流防止素子を介して主電池の電源供給ラインに接続し、拡張機能部以外の部分に、主電池と補助電池により並列的に電源を供給する。
【発明の効果】
【００１６】
本発明によれば、火災のなど異常監視および警報を行う警報器本来の機能を動作させる主電池の他に補助電池を設け、パイロットランプなどの拡張機能を補助電池からの電源供給で動作させるようにしたため、パイロットランプのような拡張機能を設けて動作しても、主電池による拡張機能の電流消費はないことから火災などの異常監視、警報のための主電池寿命を縮めることなく、様々な拡張機能を追加して有効に動作させることができる。
【００１７】
特に、主電池による異常監視、警報のための電池寿命に制約されることなく、拡張機能は補助電池の電池容量を考慮して自由に構築することができるという大きなメリットが得られ、広範に普及が進んでいる住警器の様々な活用の道を切り開くことができる。
【００１８】
また補助電池を、逆流防止素子を介して主電池の電源ラインに接続することで、主電池が電池寿命に近づいて電池電圧が低下すると、補助電池から主電池の負荷に対し並列的に電源を供給することができ、補助電池による主電池のバックアップにより電池寿命を拡大することもできる。そして、拡張機能の駆動電力は補助電池から供給されるので、拡張機能を動作させても基本的機能である監視警報動作に係る主電池の寿命に影響を与えない。
【図面の簡単な説明】
【００１９】
【図１】本発明による住警器の実施形態を示した説明図
【図２】パイロットランプを拡張機能として設けた本発明による住警器回路構成の実施形態を示したブロック図
【図３】図２の住警器による火災監視処理を示したフローチャート
【図４】照明制御を拡張機能として設けた本発明による住警器回路構成の他の実施形態を示したブロック図
【図５】図４の住警器による火災監視処理を示したフローチャート
【発明を実施するための形態】
【００２０】
図１は本発明による住警器（住宅用火災警報器）の実施形態を示した説明図であり、図１（Ａ）に正面図を、図１（Ｂ）に背面図を示している。
【００２１】
図１において、本実施形態の住警器１０の筐体はカバー１２と本体１４で構成されている。カバー１２の中央には周囲に煙流入口を開口した検煙部１６が配置され、火災による煙が所定濃度に達したときに火災を検出するようにしている。
【００２２】
カバー１２に設けた検煙部１６の左下側には音響穴１８が設けられ、この背後にブザーまたはスピーカを内蔵し、警報音や音声メッセージを出力できるようにしている。検煙部１６の下側には警報停止スイッチ２０が設けられている。警報停止スイッチ２０は住警器の機能点検を指示する点検スイッチとしての機能を兼ね備えている。例えば火災警報時に警報停止スイッチ２０が操作されると警報を停止し、通常状態で警報停止スイッチ２０が操作されると自己の機能点検を実施して結果を報知する。
【００２３】
警報停止スイッチ２０は、半透明部材で形成されたスイッチカバーと、スイッチカバーの内部に配置されたタクトスイッチ（図示せず）とで構成されている。スイッチカバー内部のタクトスイッチ近傍には、点線で示すように、警報表示を行うＬＥＤ２２が配置されており、ＬＥＤ２２が点灯すると、警報停止スイッチ２０のスイッチカバーの部分を透過してＬＥＤ２２の点灯状態が外部から分かるようにしている。
【００２４】
本体１４の裏側上部には取付けフック１５が設けられており、設置する部屋の壁にビスなどをねじ込み、この取付フック１５にビスを通すことで壁面に住警器１０を設置することができる。
【００２５】
このような住警器１０の構成に加え、本実施形態にあっては更に、拡張機能部として、カバー１２の右下に動作表示灯として機能するパイロットランプ２４を設けている。
【００２６】
住警器１０の内部には図１（Ｂ）の背面図に示すように、主電池３４と補助電池３０が収納されている。主電池３４は電池カバー３２の内部に収納されており、リチウム乾電池やアルカリ乾電池などを使用しており、住警器１０の火災監視の基本的な機能を実現する回路部に電源を供給し、１０年を越える電池寿命を保証するようにしている。
【００２７】
補助電池３０は電池カバー３６の内部に収納されており、例えば２個のボタン電池が使用され、拡張機能部として設けたパイロットランプ２４を表示駆動するための電源を供給する。パイロットランプ２４を表示駆動する補助電池３０は、主電池３４と同様に１０年を越える電池寿命を保証するようにしている。
【００２８】
主電池３４及び補助電池３０は、拡張機能としてパイロットランプ２４を設けた住警器１０の工場製造段階で予め組み込まれている。なお、拡張機能としてのパイロットランプ２４を必要としない住警器については、補助電池３０の組込みは行われないことになる。
【００２９】
なお図１の住警器１０にあっては、検煙部１６を備えた火災による煙を検出する住警器を例に取っているが、これ以外に、火災による熱を検出するサーミスタなどの温度検出素子を備えた住警器や、火災に伴うその他の物理現象を検出する住警器、火災以外にガス漏れを検出する警報器、侵入者や地震その他の異常を検出する各種の警報器、これらを組み合わせて成る警報器についても、本発明の対象に含まれる。
【００３０】
図２はパイロットランプを拡張機能として設けた図１の住警器における回路構成の実施形態を示したブロック図である。図２において、住警器１０はワンチップＣＰＵとして知られたプロセッサ６０を備え、プロセッサ６０に対してはセンサ部６２、報知部６４、操作部６６、移報部６８、メモリ７０、更に主電池３４を設けている。
【００３１】
センサ部６２には煙を検出して煙検知信号を出力する検煙部１６を設けている。なおセンサ部６２には検煙部１６以外に、火災による温度を検出するサーミスタなどの温度検出素子や、火災に伴うその他の物理現象変化を検出する各種素子を設けてもよい。
【００３２】
報知部６４には、警報音を出力するスピーカ６５と、警報に伴う表示を行うＬＥＤ２２が設けられている。スピーカ６５は図示しない音声合成回路からの音声メッセージや警報音を、図示しない増幅部を介して出力する。ＬＥＤ２２は、点滅、明滅、点灯などにより火災などの異常を表示する。なおスピーカ６５に代えてブザーなどを用いてもよい。
【００３３】
操作部６６には警報停止スイッチ２０が設けられている。警報停止スイッチ２０は、報知部６４からスピーカ６５により警報音またはＬＥＤ２２により警報に伴う表示を行っているときにのみ、警報停止スイッチとして有効となる。警報音の出力中に警報停止スイッチ２０を操作すると警報音は停止され、このときも引き続き火災検出が継続されていれば警報に伴う表示は点灯または点滅している。
【００３４】
一方、火災警報を行っていない通常監視状態で警報停止スイッチ２０は点検スイッチとして機能し、この状態で警報停止スイッチ２０を押すと所定の点検動作が実行され、報知部６４のスピーカ６５から点検結果を示す音声メッセージなどが出力される。
【００３５】
主電池３４は逆流防止素子としてのダイオード８１を介してプロセッサ６０、センサ部６２、報知部６４、操作部６６、移報部６８及びメモリ７０を含む火災監視の基本機能を実現する回路部に電源を供給し、１０年を越える電池寿命を保証している。
【００３６】
メモリ７０には、住警器のシリアル番号等の固有情報、動作に必要な各種の設定情報や点検結果データ等が記憶され、必要に応じプロセッサ６０で読み出されて処理される。
【００３７】
プロセッサ６０にはプログラムの実行により実現される機能として、イベント検出部７３とイベント処理部７４を備えた警報処理部７２が設けられている。イベント検出部７３はセンサ部６２による火災検出、操作部６６による警報停止、センサ部６２の火災検出がなくなる火災復旧等のイベントを検出する。
【００３８】
イベント処理部７４は、イベント検出部７３で火災を検出したときにスピーカ６５から警報音を出力すると共に、ＬＥＤ２２を駆動して、火災を示す表示を行う。
【００３９】
具体的に説明すると、イベント処理部７４はセンサ部６２に設けた検煙部１６からの煙検出信号に基づいてイベント検出部７３で火災を検出したとき、報知部６４のスピーカから警報音例えば「ピッピッピッ、火事です。火事です」を繰り返し出力させると共に、ＬＥＤ２２を明滅して警報表示を行う。
【００４０】
更に連動先の住警器や外部機器が信号線接続または無線通信接続されていれば、移報部６８から他の住警器に対し火災発報を示す移報信号を送信する。またイベント処理部７４は、火災警報音の出力中に、イベント検出部７３で操作部６６に設けた警報停止スイッチ２０の警報停止操作を検出したとき、スピーカ６５からの警報音を停止すると共に、ＬＥＤ２２の表示を停止する。
【００４１】
またイベント処理部７４は、イベント検出部７３でセンサ部６２の障害や主電池３４の電池電圧が低下してバッテリー切れに近付くローバッテリー障害を検出すると、検出した障害イベントに対応した報知を報知部６４から行う。
【００４２】
例えばセンサ障害を検出した場合には、報知部６４のスピーカ６５から「ピッ、故障です」を所定回数連続して出力し、その後、所定時間ごとに「ピッ、故障です」を所定回数出力する処理を繰り返す。また通常監視状態で警報停止スイッチ２０による点検操作を検出した場合には、センサ障害に基づき、例えば「ピッ、故障です  販売店に連絡して下さい」を１回出力する。
【００４３】
主電池３４の電池切れについては、イベント検出部７３で最初に電池容量低下を検出したときに、例えばスピーカ６５から「ピッ、電池切れです」を所定回数連続して出力し、その後は一定時間ごとに「ピッ、電池切れです」を所定回数出力する処理を繰り返す。また主電池３４の電池切れを検出した状態で警報停止スイッチ２０による点検操作を検出すると、「ピッ、電池切れです  主電池を交換して下さい」を１回出力する。
【００４４】
このような住警器１０の火災監視および警報のための基本的な機能に加え、本実施形態にあっては、新たに拡張機能部７６を設けている。拡張機能部７６には補助電池３０と、拡張機能の対象となるパイロットランプ２４が設けられている。本実施例に於いてはパイロットランプ２４に対して、その駆動回路としてトランジスタ７８が設けられる。
【００４５】
トランジスタ７８は、そのコレクタにパイロットランプ２４を接続し、ベースにはプロセッサ６０からの制御信号線９４を接続し、プロセッサ６０からの制御信号によりオンし、パイロットランプ２４を補助電池３０からの電源供給で表示駆動している。
【００４６】
また、本実施形態にあっては、主電池３４および補助電池３０のプラス側は逆流防止素子としてのダイオード８１、８０を介してプラス側の電源ラインに接続されている。このため、主電池３４の負荷となるプロセッサ６０、センサ部６２、報知部６４、操作部６６、移報部６８及びメモリ７０は、主電池３４と補助電池３０による並列電源供給を受けることになる。
【００４７】
またプロセッサ６０の入力ポートに対しては、補助電池３０のプラス側がプルダウンされて信号線９６により接続されている。この補助電池３０のプラス側の信号線９６からの電圧により、プロセッサ６０は補助電池３０による電源供給の有無を判別し、補助電池３０からの電源電圧が検出されたときに拡張機能部７６に対する動作、具体的にはトランジスタ７８に制御信号を出力してパイロットランプ２４を駆動する拡張機能処理を実行することになる。
【００４８】
パイロットランプ２４はＬＥＤ２２と共用しても良く、この場合は通常時と警報時の表示パターンを、点灯と点滅、またはそれぞれ明るさの異なる点灯や周期の異なる点滅、明滅とすることで区別出来るようにする。また、ＬＥＤ２２を例えば２色ＬＥＤとして、それぞれの表示色を異ならせるなどすることも出来る。
【００４９】
拡張機能部７６に伴い、プロセッサ６０には、プログラムにより実行される機能として拡張機能処理部８２が設けられる。拡張機能処理部８２には、この実施形態にあっては動作表示灯制御部８４が設けられている。
【００５０】
拡張機能処理部８２に設けた動作表示灯制御部８４は、例えば主電池３４による電源供給開始時に動作して、補助電池３０からのプラス側電源電圧が入力されたポートを読み込み、補助電池３０の電源電圧が得られた場合には、トランジスタ７８に対し表示制御信号を出力してオンし、パイロットランプ２４を駆動する。
【００５１】
動作表示灯制御部８４によるパイロットランプ２４の表示駆動は、トランジスタ７８を継続的にオンした点灯状態を維持してもよいし、一定周期ごとに制御信号を出力してトランジスタ７８をオンすることによる点滅であってもよいし、更に、トランジスタ７８に対する制御信号の強弱を周期的に変えることでパイロットランプ２４を明滅させる表示であってもよい。
【００５２】
このような拡張機能部７６として設けたパイロットランプ２４の表示駆動は、トランジスタ７８のオンにより補助電池３０からの電源供給による表示電流で点灯駆動しており、パイロットランプ２４の駆動に主電池３４から電流消費されることがない。
【００５３】
このためパイロットランプ２４の表示を行う拡張機能部７６を設けたとしても、主電池３４によるプロセッサ６０側となる住警器１０の本来の機能を実現する負荷に対する主電池３４の消費電流は増加せず、拡張機能部７６を設けても主電池３４による例えば１０年といった電池寿命を保証することができる。
【００５４】
なお実際には、拡張機能部７６に設けたトランジスタ７８を駆動するためにプロセッサ６０からベース電流が流れることになるが、このベース電流はごく僅かであることから、主電池３４の電池寿命に与える影響はほとんど無視することができる。
【００５５】
また主電池３４の電池電圧が低下した場合、補助電池３０からも主電池３４の電源ラインに電源供給が行われ、主電池３４の電池障害が補助電池３０からの電源供給で補われることとなり、長期間使用している間に主電池３４が電池切れ手前の所定電圧以下に低下したとしても、そのとき補助電池３０の電池容量が十分にあれば、補助電池３０による主電池３４側への並列電源供給で、実質的に電池寿命を延ばすことができる。
【００５６】
図３は図２の住警器による火災監視処理を示したフローチャートである。図３において、火災監視処理は、ステップＳ１で主電池３４の電源投入に伴い初期化及び自己診断処理を実行し、異常がなければステップＳ２に進み、拡張機能の検出有無を判別している。
【００５７】
このとき図２に示すように補助電池３０が収納されていれば、プロセッサ６０に対する補助電池３０の電池電圧が特定ポートから読み込まれて補助電池ありが判別され、ステップＳ３に進み、拡張機能処理部８２に設けた動作表示灯制御部８４によりトランジスタ７８に制御信号を出力して、パイロットランプ２４の駆動、例えばパイロットランプ２４の常時点灯、点滅または明滅などを行う。
【００５８】
続いてステップＳ４でセンサ部６２から出力された煙検出信号が所定の火災レベルを超えると火災発報イベントを検出してステップＳ５に進み、スピーカ６５からの警報音とＬＥＤ２２の点灯、点滅または明滅などにより火災警報を出力する。続いてステップＳ６でセンサ部６２からの煙検出信号が低下して火災がなくなる火災復旧イベントの有無を判別しており、火災復旧イベントを検出すると、ステップＳ７で火災警報を停止する。
【００５９】
また火災警報中に火災復旧イベントが検出されなかった場合には、ステップＳ８で警報停止スイッチ２０の操作による警報停止イベントの有無を判別しており、警報停止イベントを判別すると、ステップＳ９で警報中であることを条件に、ステップＳ１０に進み、火災警報を停止する。
【００６０】
一方、火災警報が行われていない通常監視状態で警報停止スイッチ２０による警報停止イベントを判別すると、ステップＳ９で警報中でないことを判別してステップＳ１１に進み、この場合には警報停止スイッチ２０の操作は点検スイッチとしての操作であることから、所定の点検処理を実行して、結果を示す点検メッセージを出力する。
【００６１】
即ち、結果が正常であれば例えば「ピッピッピッ、正常です」といった警報音を確認するための点検メッセージを出力する。またセンサ障害が検出されていれば「ピッ、故障です  販売店に連絡して下さい」を出力する。また主電池３４の電池切れが検出されていれば「ピッ、電池切れです  主電池を交換して下さい」を１回出力する。更に補助電池３０について点検機能を持っている場合には「ピッ、補助電池切れです」を１回出力する。
【００６２】
図４は照明制御を拡張機能として設けた本発明による住警器回路の他の実施形態を示したブロック図である。図４において、住警器１０における主電池３４の負荷となるプロセッサ６０側の回路構成は図２の実施形態と同じであり、更に補助電池３０と拡張機能部７６が設けられ、拡張機能部７６にパイロットランプ２４及びトランジスタ７８を設けた点も図２の実施形態と同じである。
【００６３】
また補助電池３０のプラス側は逆流防止素子としてのダイオード８０を介して主電池３４のプラス側に接続されて並列的に電源供給を行い、また補助電池３０のプラス側電圧はプルダウンされた信号線９６によりプロセッサ６０の特定ポートに与えられて補助電池装着の有無を判別できるようにしている点も図２と同じである。
【００６４】
このようなパイロットランプ２４の表示を行う拡張機能に加え、本実施形態にあっては更に、拡張機能部７６に白色ＬＥＤなどの照明用ＬＥＤ８６を設け、トランジスタ８８により補助電池３０からの電源供給により照明駆動できる拡張機能を追加している。
【００６５】
また照明用ＬＥＤ８６の照明制御のため、拡張機能部７６には人感センサ８８が設けられている。人感センサ８８は、補助電池からの電源供給で動作し、住警器の監視エリアに人が入ったときに、人検知信号をプロセッサ６０に出力する。
【００６６】
プロセッサ６０の拡張機能処理部８４に設けた照明制御部９０は、人感センサ８８からの人検知信号を検出すると、信号線９８に制御信号を出力してトランジスタ８８をオンさせ、照明用ＬＥＤ８６を駆動し、例えば人検知信号が得られてから予め定めた所定の期間、住警器１０の監視エリアの一部または全部を照明する。
【００６７】
図５は図４の住警器による火災監視処理を示したフローチャートである。図５において、住警器１０の主電池３４の電源供給を開始すると、ステップＳ２１で初期化及び自己診断が行われ、異常がなければ、ステップＳ２２で補助電池３０の有無をチェックする。このとき補助電池３０が収納されていると、プロセッサ６０はそのプラス側の補助電池３０の電源電圧に基づき補助電池有りを判別する。
【００６８】
ステップＳ２２で補助電池有りを判別すると、ステップＳ２３に進んでプロセッサ６０の動作表示灯制御部８４によるパイロットランプの表示駆動を行った後、ステップＳ２４で照明制御部９０による照明制御を有効化する。続いてステップＳ２５〜Ｓ３２の火災監視処理となるが、これは図３のステップＳ４〜Ｓ１１と同じ処理になる。
【００６９】
続いてステップＳ３３で人感センサ８８による人の検出イベントを判別すると、ステップＳ３４に進み、トランジスタ８８に制御信号を出力して、照明用ＬＥＤ８６を例えば所定時間、点灯制御する。
【００７０】
なお図４の実施形態にあっては、人感センサ８８により照明用ＬＥＤ８６を制御するようにしているが、人感センサ８８の代わりに明るさセンサを設け、明るさセンサの検知信号が所定レベル以下となったときに照明制御を行うようにしてもよいし、人感センサ８８と明るさセンサの両方の検知信号に基づいて照明駆動するようにしてもよい。このようにすれば、周囲が暗く且つ人が居る場合のみ照明用ＬＥＤ８６を駆動するといった動作が可能となり、補助電池３０の無駄な電力消費を抑制することが出来る。
【００７１】
そして、火災発生時にのみ照明ＬＥＤ８６を駆動することも出来る。この場合、プロセッサ６０はセンサ部６２からの信号に基づいてイベント検出部７３で火災発生を判定した場合に信号線９８へ照明ＬＥＤ８６の駆動信号を出力する。もちろんこの場合も人感センサが人を検知していることを条件として駆動するようにしても良いし、明るさセンサからの信号に基づいて周囲が暗いと判定されていることを条件としても良い。また人が検知されていて且つ周囲が暗い場合のみ駆動するようにも出来る。このようにして、火災発生時の避難安全に配慮した制御を行うことが出来る。
【００７２】
なお上記の実施形態は、補助電池の電源ラインを逆流防止素子としてのダイオードを介して主電池の電源ラインに接続して主電池の負荷に並列的に電源を供給しているが、補助電池による電源供給を拡張回路部に対してのみ行うようにしても良い。
【００７３】
また上記の実施形態は拡張機能としてパイロットランプと照明用ＬＥＤを例に取るものであったが、本発明はこれに限定されず、住警器が基本的に持っている処理機能に対し追加可能な適宜の拡張機能につき同様に適用することができる。
【００７４】
また上記の実施形態は移報部からの有線接続により他の住警器と連動可能にした場合の警報器を例に取っているが、連動機能を持たない警報器にも適用できる。また、無線通信部を設けることにより、無線により他の住警器と連動する警報器についても適用できる。
【００７５】
また上記の実施形態は住宅用に限らず、ビルやオフィス用など各種用途の警報器にも適用できる。
【００７６】
また上記の実施形態は警報器にセンサ部と処理部を一体に設けた場合を例に取っているが、他の実施形態としてセンサ部と処理部を別体とした警報器であってもよい。
【００７７】
また本発明は上記の実施形態に限定されず、その目的と利点を損なうことのない適宜の変形を含み、更に上記の実施形態に示した数値による限定は受けない。
【符号の説明】
【００７８】
１０：住警器
１２：カバー
１４：本体
１５：取付フック
１６：検煙部
１８，５５：音響孔
２０：警報停止スイッチ
２２：ＬＥＤ
２４：パイロットランプ
２６，３２，３６：電池カバー
２８：補助電池収納部
３８，４２：拡張機能ユニット
４０，４８：コネクタ
４４：ユニット本体
４６：電池収納部
４７：蓋
５０：スイッチ
５２：乾電池
５６：補助スピーカ
６０：プロセッサ
６２：センサ部
６４：報知部
６６：操作部
６８：移報部
７０：メモリ
７２：イベント検出部
７４：イベント処理部
７６：拡張機能部
７８，８８：トランジスタ
８０：ダイオード
８２：拡張機能処理部
８４：動作表示灯制御部
８６：照明用ＬＥＤ
９０：人感センサ
９２：照明制御部
【図１】
2011014062.tif 000003
【図２】
2011014062.tif 000004
【図３】
2011014062.tif 000005
【図４】
2011014062.tif 000006
【図５】
2011014062.tif 000007